(57)【要約】  個人使用のための歯清掃デバイス１であって、前記デバイスは、少なくとも１つの飲用水入口２１および１つの水出口２２を含むメインベース２と、ユーザにより手で保持されるのに適し、前記メインベース２に流体接続された清掃要素３であって、複数の水噴出口５２、５２’を備えることにより歯が濯がれることを可能にする、清掃要素３とを含み、メインベース２は、濯ぎ時にオゾン処理水を供給して歯を消毒するためにオゾン注入手段２５を含む、歯清掃デバイス１。
2018531130.tif 000002
【特許請求の範囲】
【請求項１】
個人使用のための歯清掃デバイス（１）であって、
−  少なくとも１つの飲用水入口（２１）および１つの水出口（２２）を含むメインベース（２）と、
−  ユーザにより手で保持されるのに適し、前記メインベース（２）に流体接続された清掃要素（３）であって、複数の水噴出口（５２、５２’）を備えることにより歯が濯がれることを可能にする、清掃要素（３）と、
を含むデバイスにおいて、
前記メインベース（２）は、濯ぎ時にオゾン処理水を供給して前記歯を消毒するために、オゾン注入手段（２５）を含むことを特徴とする、歯清掃デバイス（１）。
【請求項２】
請求項１に記載の歯清掃デバイス（１）であって、前記オゾン注入手段（２５）は、前記飲用水の電解によりオゾンを生成するように構成されていることを特徴とする歯清掃デバイス（１）。
【請求項３】
請求項１または２に記載の歯清掃デバイス（１）であって、前記メインベース（２）は、オゾン処理温水を供給して濯ぎ中に前記歯を消毒するために、加熱手段（２６）を含むことを特徴とする歯清掃デバイス（１）。
【請求項４】
請求項１から３のいずれか１項に記載の歯清掃デバイス（１）であって、前記清掃要素（３）は、清掃ヘッド（５、５’）が取外し可能に取り付けられる本体（３０）を含み、前記清掃ヘッド（５、５’）が、複数の前記水噴出口（５２、５２’）を備えることにより前記ユーザの歯が濯がれることを可能にすることを特徴とする歯清掃デバイス（１）。
【請求項５】
請求項１から４のいずれか１項に記載の歯清掃デバイス（１）であって、前記清掃ヘッドはブラシタイプ（５）であり、複数の毛（５１）を含む剛体要素（５０）を含み、前記水噴出口（５２）は前記剛体要素（５０）の外縁を巡って配置されていることを特徴とする歯清掃デバイス（１）。
【請求項６】
請求項５に記載の歯清掃デバイス（１）であって、前記剛体要素（５０）は長手方向に延在しており、前記毛（５１）は、横断面において、前記剛体部（５０）の端部よりも前記剛体部（５０）の中心においてより長いことを特徴とする歯清掃デバイス（１）。
【請求項７】
請求項１から４のいずれか１項に記載の歯清掃デバイス（１）であって、前記清掃ヘッド（５’）はデンタルフロスタイプであり、離間された２つの部分（５０ａ’、５０ｂ’）を含む剛体要素（５０）を含み、それらの間に、伸張された長さのデンタルフロス（５４’）が取り付けられていることを特徴とする歯清掃デバイス（１）。
【請求項８】
請求項７に記載の歯清掃デバイス（１）であって、前記離間された２つの部分（５０ａ’、５０ｂ’）がそれぞれ少なくとも１つの前記水噴出口（５２’）を含むことを特徴とする歯清掃デバイス（１）。
【請求項９】
請求項８に記載の歯清掃デバイス（１）であって、各前記水噴出口（５２’）は前記デンタルフロス（５４’）の方を向いていることを特徴とする歯清掃デバイス（１）。
【請求項１０】
請求項７から９のいずれか１項に記載の歯清掃デバイス（１）であって、デンタルフロスタイプの前記清掃ヘッド（５’）は、前記デンタルフロス（５’）に平行な当接要素（５５’）を含むことを特徴とする歯清掃デバイス（１）。
【発明の詳細な説明】
【技術分野】
【０００１】
本発明は、詳細には個人使用のための、歯清掃を可能にする器材の分野に関する。
【背景技術】
【０００２】
既知の方法では、歯清掃を実施するために、歯は、練り歯磨きが塗布された歯ブラシで磨かれる。磨きおよび濯ぎの後、デンタルフロスを使用して、２つの隣接した歯の間の空間を清掃する場合もある。
【０００３】
清掃時、歯の濯ぎは一般に不十分に実施され、食物の粒子が歯に接触して残留しており、それは第１の欠点である。これは、一般には濯ぎが省略されるデンタルフロスでの掃除についても同様である。さらに、デンタルフロスでの掃除は、消毒されていない歯茎を切るという結果になる可能性があり、それは別の欠点である。
【０００４】
なお、歯清掃デバイスは、水入口に接続されている歯ブラシを含む米国特許出願公開第２０１０／０１２４７２９号により、先行技術において知られている。
【０００５】
実際には、多くの人が、その粘性と見た目の両方のために練り歯磨きを嫌っており、磨き頻度を減少させる。同様に、練り歯磨きはそれを飲み込む可能性がある低年齢児にとって適切でなく、それは彼らの健康に対するリスクとなる。また、子供および大人どちらにもより好ましく受け入れられる歯清掃方法が必要である。
【先行技術文献】
【特許文献】
【０００６】
【特許文献１】米国特許出願公開第２０１０／０１２４７２９号明細書
【発明の概要】
【発明が解決しようとする課題】
【０００７】
したがって、本発明の目的は、効果的で実践的な方法で人の歯を清掃する新規の歯清掃デバイスを提案することにより、上述の欠点を無くすことである。
【課題を解決するための手段】
【０００８】
この目的のために、本発明は、個人使用のための歯清掃デバイスに関し、前記デバイスは、
−  少なくとも１つの飲用水入口および１つの水出口を含むメインベースと、
−  ユーザにより手で保持されるのに適し、前記メインベースに流体接続された清掃要素であって、複数の水噴出口を備えることにより歯が濯がれることを可能にする、清掃要素と、
を含む。
【０００９】
該デバイスは、濯ぎ時にオゾン処理水を供給して歯を消毒するために、メインベースがオゾン注入手段を含むという点において注目に値する。
【００１０】
本発明によれば、オゾン処理水が歯の消毒を可能にすると共に、ユーザ、詳細には子供に、より危険を伴わずに飲み込めることを考えると、練り歯磨きの使用を有利に回避することができる。さらに、そのような清掃デバイスは、磨く場合およびデンタルフロスで掃除する場合のいずれの場合にも、消毒濯ぎをもたらし、最適な防御を提供する。
【００１１】
水噴出口は、間接濯ぎを可能にすると共に歯の損失および歯茎の後退を回避するために、清掃要素の一部の方を向いていることが好ましい。
【００１２】
オゾン注入手段は、飲用水の電解によりオゾンを生成するように構成されていることが好ましい。したがって、メインベースは、オゾンが外部源なしで独立して注入されることを可能にする。
【００１３】
メインベースは、濯ぎ中にオゾン処理温水を供給して歯を消毒するために、加熱手段を含むことがより好ましい。加熱手段は、５０℃と５５℃の間まで加熱された水を供給するように構成されていることが好ましい。この温度は、甘いものなどの粘着性のある残留物を溶解すると共に、コーヒー、紅茶または他の食物による歯の変色を防ぐのを助ける。最後に、温水は歯茎の血液循環を刺激し、炎症に対する抵抗力を高める。
【００１４】
本発明の好適な態様によれば、メインベースは、垂直壁に固定するのに適したケーシング内に取り付けられている。したがって、ユーザが、歯清掃デバイスを自身の浴室に容易く設置することができ、それは有利である。
【００１５】
本発明の好適な態様によれば、清掃要素は、清掃ヘッドが取外し可能に取り付けられている本体を含み、前記清掃ヘッドは複数の水噴出口を含み、ユーザの歯が濯がれることを可能にする。したがって、清掃要素は、いくつかの独立したデバイスを使用することなく最適な清掃を可能にするために、様々な機能を備えた清掃ヘッドを有し得る。
【００１６】
また、本発明は、歯清掃デバイスと、複数の清掃ヘッド、詳細にはブラシタイプの清掃ヘッドおよびフロスタイプの清掃ヘッド、とを含む組立体に関する。
【００１７】
一態様によれば、清掃ヘッドはブラシタイプであり、複数の毛を含む剛体要素で構成されており、噴出口は剛体要素の外縁を巡って配置されている。噴出口は、中心部の毛の最上部、好ましくは中心部の毛の上部４分の１だけを濡らすような向きであることが好ましい。それらの配置に因り、周辺の毛は中心の毛の最上部に向かうオゾン処理水の噴出が妨げられず、有利となる。したがって、オゾン処理温水は磨き中に歯および歯茎に作用することができる。これにより、歯へのオゾン処理水のいかなる直接噴出も回避される。
【００１８】
剛体要素は長手方向に延在しているので、毛は、横断面において、剛体部の端部よりも剛体部の中心においてより長いことが好ましい。したがって、オゾン処理水の噴流は、それらの磨き区域内の歯を濯ぐように傾けられていることが有利である可能性がある。周辺を取り巻いて配置されている毛は噴流を妨げないことが有利である。
【００１９】
別の態様によれば、清掃ヘッドはデンタルフロスタイプであり、間に伸張された長さのデンタルフロスが取り付けられている、離間された２つの部分を含む剛体要素で構成されている。そのような清掃ヘッドは、歯間の空間を、デンタルフロスでの掃除時に濯ぐことを可能にしながら清掃されることを可能にする。
【００２０】
各離間部分が少なくとも１つの噴出口を含むことが好ましい。したがって、濯ぎは、デンタルフロスでの掃除中に取り除かれたどのような残留物でも迅速に除去するために、横方向に達成される。各噴出口は前記デンタルフロスの方を向いており、したがって濯ぎが最適であることがより好ましい。デンタルフロスにより取り除かれた各残留物は、次いで、直接除去される。
【００２１】
デンタルフロスタイプの清掃ヘッドは、デンタルフロスに平行な当接要素を含むことが好ましい。該当接要素は、前記デンタルフロスの背後に取り付けられて歯と接触し、デンタルフロスが歯茎と接触しないようにする。当接要素はゴムであり、歯との柔らかい接触を可能にし、したがって使い易さを向上させることが好ましい。
【００２２】
本発明は、純粋に例として与えられる以下の説明を読むことにより、添付図面を参照することにより、より良く理解されるであろう。
【図面の簡単な説明】
【００２３】
【図１】本発明の実施形態による清掃デバイスの実施形態の概略図である。
【図２】ブラシタイプの清掃ヘッドを備えた清掃要素の概略図である。
【図３】ブラシタイプの清掃ヘッドの横断面図である。
【図４】ブラシタイプの清掃ヘッドの上面図である。
【図５】デンタルフロスタイプの清掃ヘッドを備えた清掃要素の概略図である。
【発明を実施するための形態】
【００２４】
図は、本発明を実施するために本発明を詳細に示しており、前記図は、明らかに、必要であれば本発明をより良く明示するのに役立ち得ることに留意すべきである。
【００２５】
図１は、本発明の実施形態による歯清掃デバイス１を示す。歯清掃デバイス１は、清掃要素３を扱い易くするように可撓性が高い主管４により、清掃要素３に機械的に流体接続されているメインベース２を含み、一方、メインベース２は固定されている。後で説明される通り、清掃要素３は清掃ヘッドを含み、濯ぎを向上させるために水が噴出されることを可能にする。
【００２６】
図１に示されている通り、メインベース２は、飲用水供給部、例えば浴室の栓、への接続に適した入口２１と、後で説明されるように清掃要素３に水を供給するために、主管４への接続に適した出口２２とを含む。
【００２７】
主管４内での加圧循環を可能にするために、また、メインベース２は、出口２２を介して加圧水流を供給するのに適した供給ポンプ（図示せず）を含むことが好ましい。図１に示されている通り、メインベース２は、前記供給ポンプに電気的に供給するのに適した電気接続部２３を含む。
【００２８】
本発明によれば、また、メインベース２は、主管４内で循環している水がオゾン処理されているように、入口２１を通って到着する飲用水にオゾンを付加するために、オゾン注入手段２５を含む。オゾン注入手段２５は、流入水の電解により、オゾンを生成するように構成されていることが好ましい。この目的のために、オゾン注入手段２５は、メインベース２内に収容されており、メインベース２の出口２２からの水流中に注入されるオゾンを生成するために、水供給入口２１に接続されている。
【００２９】
それにも関わらず、オゾン注入手段２５が、メインベース２内のオゾン槽内に保存されているオゾンを流出水流中に注入することもできることは言うまでもない。
【００３０】
さらに、本実施形態では、メインベース２は手段２６を含み、オゾンの作用を向上させるために、詳細には５０℃と５５℃の間まで、水を加熱する。この温水は、歯磨き中の残留物の溶解を向上させ、歯の変色に対抗し、炎症のリスクに対して歯茎を強化する。加熱手段２６は加熱抵抗器の形を取ることが好ましい。他の加熱手段が使用され得ることは言うまでもない。加熱手段２６は入口２１からの流入水流を加熱するようにされている。図１に示されている通り、メインベース２の出口２２からの流出水流は、温水とオゾンとの混合物で形成されている。したがって、流出水流は歯を濯ぎ、消毒するのに完全に適している。
【００３１】
図１を参照すると、また、メインベース２は、入口２１からの水を濾過するのに適した濾過手段２４を含むことが好ましい。本例では、濾過手段２４は炭素フィルタを含む。濾過手段２４は、加熱時の事前濾過およびオゾン生成時の事前濾過を達成するために、入口２１に隣接して配置されていることが好ましい。
【００３２】
本発明の一態様によれば、また、メインベース２はスイッチ（図示せず）を含み、加熱手段２６、供給ポンプ、およびオゾン注入手段２５を起動する。
【００３３】
本実施形態では、メインベース２は、垂直壁面に、詳細には洗面台の近くに取り付けられることが可能であり、飲用水供給部へのその接続を可能にする単一のケーシングの形を取っている。ケーシングは清掃要素３のための支持体を含むことが好ましい。
【００３４】
図２を参照すると、清掃要素３は、長手方向に延在している本体３０を含む。本体３０は、前記本体３０内に形成されている内部チャネル３３により接続されている、下部コネクタ３１と上部コネクタ３２とを含む。また、清掃要素３は、後で説明されるように本体３０上に取外し可能に取り付けられていることが好ましい清掃ヘッド５を含む。
【００３５】
歯清掃デバイス１の主管４は、清掃要素３の下部コネクタ３１への、詳細には取外し可能な接続に適している。この目的のために、差込み式接続またはねじ込み式接続が特に適している。
【００３６】
同様に、清掃ヘッド５は、本体３０の上部コネクタ３２への、詳細には取外し可能な接続に適している。この目的のために、差込み式接続またはねじ込み式接続が特に適している。
【００３７】
本体３０はユーザにより手で保持されるのに適している。また、本体は、長さが１３ｃｍ〜１８ｃｍの間である。本体３０は、最適な握持のために、人間工学的に湾曲している。本体は、その長さに沿って変化することが好ましい円形横断面を有する。例として、本体３０は、より小さい部分の端部を備えた、１．５ｃｍ〜２ｃｍの間の直径の中心部分を有する。本体３０は、１ｃｍ〜１．５ｃｍの間の直径の第１のコネクタ３１付近の端部部分と、１．２ｃｍ〜１．７ｃｍの間の直径の第２のコネクタ３２付近の端部部分とを有することが好ましい。
【００３８】
本実施形態では、本体３０は、上部コネクタ３２付近に配置されている窪み３４も含み、これがユーザの親指を受け入れる。また、この窪み３４は、ユーザにより手で扱われたときに人間工学上の改善をする。
【００３９】
図２に示されている通り、本実施形態では、清掃ヘッド５は、剛体要素５０を含むブラシであり、その底部は本体３０の上部コネクタ３２に接続されており、その上部の実質的に平坦な部分は、互いに平行な毛５１を含む。剛体要素５０の上部は長手方向に延在しており、また、歯を磨く時に動作するために、毛５１の方向にオゾン処理水を噴出するのに適した噴出口５２を含む。噴出口５２は、図示されていない内部チャネルにより清掃ヘッド５の底部に流体接続されている。
【００４０】
図４を参照すると、噴出口５２は、剛体要素５０の上部の外縁を巡って、換言すれば清掃ヘッド５の毛５１の周囲に、配置されていることが好ましい。毛５１の間に噴出口５２は存在しない。図３を参照すると、清掃ヘッド５の毛５１は全て同じ長さとは限らず、毛は、半円形の下向き（上向き）動作による、上（下）顎の歯の磨きを容易にするために、清掃ヘッド５の中心においてより長く、これを取り巻く周辺部においてより短い。噴出口５２は、清掃ヘッド５の中心に配置されている毛５１の上部４分の１に到達するために傾けられており、その他の毛への干渉を回避しながら、清掃中にオゾンの最適な作用を可能にする。図３に示されている通り、複数の毛５１は全体として湾曲した外形を形成していることが好ましい。
【００４１】
したがって、歯茎を損傷すると共に、歯の損失および／または歯茎の後退を招く可能性があると考えられるオゾン処理水の噴流が歯と直接接触せず、有利である。本発明によれば、オゾン処理温水が毛５１上へ放出され、それが残留物を払うと共に歯茎を処置し、歯茎は歯磨き中に清掃され、消毒され、強化される。
【００４２】
清掃要素３は、異なるタイプの清掃を可能にするために、異なる清掃ヘッドを収容し得ることが有利である。
【００４３】
図５を参照すると、清掃ヘッド５’はデンタルフロスタイプであり、剛体要素５０’を含み、その底部は本体３０の上部コネクタ３２に接続されており、その上部は、離間されている２つの部分５０ａ’、５０ｂ’を含み、その間に伸張された長さのデンタルフロス５４’が取り付けられている。デンタルフロス５４’は絹で作製されていることが好ましい。剛体要素５０’の各部分５０ａ’、５０ｂ’は、デンタルフロス５４’が歯間を通過した場合に作用するために、オゾン処理水を噴出するのに適した噴出口５２’を含むことが好ましい。噴出口５２’は、内部チャネル５３’により、清掃ヘッド５’の底部に流体接続されている。各噴出口５２’は、歯茎に直接作用すると共に歯茎の剥離および歯茎の後退を防ぐために、オゾン処理水がデンタルフロスの中心に向かって流動することを可能にすることが有利である。
【００４４】
清掃ヘッド５’は、好ましくはゴムの当接要素５５’を含み、歯間のデンタルフロス５４’の挿入を制限し、したがって歯茎への傷害のリスクを制限することが好ましい。図５に示されている通り、当接要素５５’は、デンタルフロス５４’が２つの隣接した歯の間に配置されている場合、歯の先端部と接触するために、デンタルフロス５４’に平行に延在している。デンタルフロス５４’と当接要素５５’との間の距離が７ｍｍ〜１０ｍｍの間であることが好ましい。
【００４５】
デンタルフロスは、歯間での前記デンタルフロス５４’の導入を容易にするために湾曲している本体３０の凹の側に配置されている。
【００４６】
清掃ヘッド５、５’は使い捨てであり、それらが使い古された場合に交換され得ることが好ましい。
【００４７】
デンタルフロスタイプの清掃ヘッド５’は凹んだ形状である。本体３０の陥凹と清掃ヘッド５’の陥凹とは、一様に連続的である歯清掃デバイス１を形成するために、連続的であることが好ましい。
【００４８】
使用例
歯清掃デバイス１は浴室内に設置されることが好ましい。例として、メインベース２が格納されているケーシングは垂直壁に固定され、清掃要素３は、壁の人間工学的に好ましい高さに、詳細には１ｍ〜１．５ｍの間に固定された支持体内に取り付けられる。壁ベース２は水回路および電気供給部に接続される。
【００４９】
衛生上の理由で、各ユーザは、清掃要素３の本体３０上に取外し可能に取り付けられ得る自身の清掃ヘッド（１つはブラシタイプの清掃ヘッド５および１つはデンタルフロスタイプの清掃ヘッド５’）を有することが好ましい。
【００５０】
本実施例では、ユーザはブラシタイプの清掃ヘッドを選び、それを、詳細には押し込むことにより、清掃要素３の本体３０に機械的に流体接続する。
【００５１】
歯磨きを始める前に、ユーザはスイッチを押して、メインベース２およびその様々な構成要素を起動する。供給ポンプを起動した後、水流は、次いで、炭素フィルタを通過する。濾過された水は、次いで、加熱手段２６により５０℃〜５５℃程の温度まで加熱され、次いで、メインベース２内のオゾン注入手段２５により電解によって生成されるオゾンと混合される。換言すれば、清掃デバイス１を起動した後、オゾン処理温水が、ブラシタイプの清掃ヘッド５の噴出口５２を通して噴出され、オゾン処理温水は主管４と清掃要素３の本体３とを通してメインベース２からブラシタイプの清掃ヘッド５まで経路で送られる。
【００５２】
清掃要素３は、本体３０の人間工学的形状とユーザが親指を置く窪み３４の存在とに因り、保持し易い。
【００５３】
水流が磨き領域上に直接噴出されて、残留物が他の歯の上に堆積されることなく、それらが即座に除去されることを可能にすると仮定すると、ユーザによる歯磨きは特に効果的である。さらに、温水は、砂糖を含む残留物を溶解し、炎症に対する歯茎の抵抗力を高めるために歯茎の血液循環を良くする。水流中のオゾンの存在は、それが、全てのユーザにより許容されるとは限らない練り歯磨きの使用を回避するため、特に有利である。さらに、子供に関する飲込みの場合のリスクがある練り歯磨きとは異なり、オゾン処理水はリスクがない。実際、オゾン処理水は、歯および口腔の最適な消毒を可能にし、虫歯に効果的に対抗する。
【００５４】
ブラシタイプの清掃ヘッド５の毛５１の群の形状は、清掃ヘッド５の外縁からその中心に向かうオゾン処理温水の噴出を容易にし、毛５１は、このように、噴出口５２から来る水の噴流を阻止する可能性がある妨害を示さない。歯の濯ぎは、このように、最良条件下で達成される。
【００５５】
清掃ヘッド５が取外し可能であると仮定すると、磨耗した場合、それは容易に交換され得ることが有利である。この交換は、清掃デバイス１のその他の部分に影響を及ぼさず、経済的である。
【００５６】
ユーザが自身の歯を磨き、濯いだら、ユーザは、スイッチを押すことにより、メインベース２の動作を停止させる。
【００５７】
本実施例では、ユーザは、デンタルフロスを使用することにより自身の清掃を完了させることを望む。この目的のために、ユーザはブラシタイプの清掃ヘッド５をデンタルフロスタイプの清掃ヘッド５’と交換する。前述したのと同様にして、ユーザは、デンタルフロスタイプの清掃ヘッド５’を選び、好ましくはそれを押し込むことにより、それを清掃要素３の本体３０に機械的に流体接続する。
【００５８】
デンタルフロス５４’は、望ましくない残留物を除去するために、２つの隣接した歯の間に配置される。清掃中、デンタルフロス５４’は、歯が配列している軸に対して実質的に直角である。噴出口５２’から来る水の噴流の向きは、残留物をある歯から別の歯へ移動させてしまうことを回避するために、清掃中にデンタルフロス５４’を清掃するのに特に適している。また、オゾン処理水の使用は、歯間の空間が保護され、消毒されることを可能にし、これは先行技術と比較して重要な利点を示す。さらに、当接要素の存在は、歯茎とのデンタルフロス５４’のいかなる接触も防ぎ、したがってユーザの快適さを確実にする。
【００５９】
本発明のお蔭で、ユーザは、たった１つの清掃デバイス１を用いて、自身の歯を完全に効果的に清掃することができる。オゾン処理温水の使用は、それが練り歯磨きの必要を無くすと共に、歯をデンタルフロスで掃除する時にも使用され得ると仮定すると、特に有利である。
【図１】
2018531130.tif 000003
【図２】
2018531130.tif 000004
【図３】
2018531130.tif 000005
【図４】
2018531130.tif 000006
【図５】
2018531130.tif 000007
【国際調査報告】
2018531130.tif 000008
2018531130.tif 000009
2018531130.tif 000010
2018531130.tif 000011
2018531130.tif 000012